(57)【特許請求の範囲】
【請求項１】
上面が開口する樹脂製のロアカバー（１１）と、下面が開口する樹脂製のアッパカバー（１２）との組合せにより構成されるカバー内部空間での内圧変化時に、そのカバーの内外間での通気を許して、カバー内圧と外圧との均衡を保たせる構成とした電子部品等の防水カバーにおいて、上記のロアカバー（１１）には、軸線が垂直であり、かつ上端が開口し、下端が尖端となる逆向きの円錐筒壁（１７）を形成すると共に、その逆向きの円錐筒壁（１７）の上記尖端（１８）部を除く円錐筒壁面位置で、ロアカバーの内外を垂直方向に貫通するアンダーカットのない通気孔（１９）を穿設し、上記のアッパカバー（１２）の内側に、上記ロアカバー（１１）へアッパカバー（１２）を被着したとき、上記逆向きの円錐筒壁（１７）の凹状の上側開口部（１６Ａ）内に遊嵌される上記アッパカバー（１２）から垂直方向下向きに延びる筒状壁（２０）を突設せしめたことを特徴とする電子部品等の防水カバー。
【発明の詳細な説明】
【０００１】
【発明の属する技術分野】
本発明は、例えばエンジンコントロールモジュール等の車載用電子部品を内装するために用いられる防滴型（防水型）の電子部品防水カバーに係り、特にカバー内外での気圧の均衡を維持せしめるための通気を設けた防水カバーにおいて、その防水性カバー内の防水性及び防塵性を高めることができるように構成した電子部品等の防水カバーに関するものである。
【０００２】
【従来の技術】
自動車のエンジンルームと、車室との間で形成されているエアボックスと称する空間に設備されて、車両用コンピュータ等の電子部品の防水のために使用される電子部品防水カバーであって、この電子部品防水カバーの先行例として、図２及び図３で示す如き構造のものがある。すなわち、先行例である電子部品等の防水カバーは、上面が開口する樹脂製のロアカバー１と下面が開口する樹脂製のアッパカバー２とからなっており、上記のロアカバー１の詳細構造は、その内部が不図示の電子部品等（電子機器等）を収納する収納部１Ａに形成されていると共に、その収納部１Ａに、上下方に軸心を有する上面開口の筒部１Ｂが形成されており、この筒部１Ｂ内には、図３で示すように、その上面開口面より下方へ向って外径が漸次小さくなる円錐筒部１Ｃが一体形成され、かつその円錐筒部１Ｃの中心軸線に沿って通気孔１Ｄが穿設されている。
【０００３】
さらにこのロアカバー１の背面側には、アッパカバー２を結合する係止軸部１Ｅが形成され、この係止軸部１Ｅを有する背面側と反対側面複数個所には、アッパカバー１の係止爪片１Ｆが一体形成されている。１Ｇは不図示の電子部品等から引き出されるワイヤハーネス（不図示）をそれに被着されたグロメットと協働して水密に案内する略半円形状のハーネス挿通溝、１Ｈはロアカバー１を車体の特にエンジンルームと車室との間で形成されているエアボックスと称する空間内で、車体に固定するために使用するブラケットを示す。
【０００４】
アッパカバー２の詳細構造は、ロアカバー１の上面開口周縁が、防水パッキン３を介在して嵌入される周縁溝２Ａを有し、さらにそのアッパカバー２の背面側には、上記の係止軸部１Ｅと係合する係合片２Ｂが一体に形成されている。またこの係合片２Ｂを有する背面側と反対側面には、上記の係止爪片１Ｆと係止してアッパカバー２とロアカバー１とを閉塞維持せしめるための複数の係止枠２Ｃが形成されている。なお２Ｄは上記ハーネス挿通溝１Ｇと協同して円形のワイヤハーネス挿通孔とする略半円形状のハーネス挿通溝、２Ｅはアッパカバー２を上記の防水パッキン３を介してロアカバー１に水密状態で結合維持せしめるための取付ねじ挿通孔を示す。
【０００５】
このように先行例である電子部品等の防水カバーのロアカバー１にあっては、そのロアカバーの内外を貫通する通気孔１Ｄが設けられている。この通気孔１Ｄを設けている理由は、電子部品等を収納するロアカバー１とアッパカバー２とが防水パッキン３を介して水密に被着され、これを車体等に取付け使用するときに、例えば気候の変化に伴なう温度変化、あるいは上記の電子部品の動作又は非動作時における電子部品の発熱温度変化等により密閉されている防水カバー内では気圧の変化が繰返し発生し、特にその防水カバー内が高温となったときは防水カバー内の圧力が異常に高められ、これが原因で、例えば防水カバーに変形が生じ、また電子部品では動作不良を生じる等の悪影響が及ぼされることになる。そこでその悪影響を未然に防止させるための手段として、上記の通気孔１Ｄを設けて、密閉された防水カバーの内圧（気圧）が高められたときは、その通気孔１Ｄから排圧されるように、また防水カバーの内圧が低下したとき（負圧時）はその通気孔１Ｄから外気を吸引させることができるようにしてカバーの内外での気圧の均衡が保たれるように工夫されている。
【０００６】
【発明が解決しようとする課題】
ところが、上記通気孔１Ｄを設けた電子部品等の防水カバーにあっては、その通気孔１Ｄを通して水滴（水分）が防水カバー内に侵入されるという不具合が生じる。つまり上記通気孔１Ｄを形成するために設けられている円錐筒部１Ｃの外形は、カバー外部からの水分の侵入を抑制するために下方へ向って尖端となる逆円錐形に形成しているが、この逆円錐形としていることで、例えば洗車時等における水分が、円錐筒部１Ｃの外壁面に付着すると、該水分は円錐筒部外周面を伝わって、円錐筒部外側の尖端部で上記の通気孔１Ｄの下端を塞ぐようにして位置される雫４となる。この雫４が尖端部から落ちているときは問題ないが、その雫４が尖端部に付着している時に電子部品等の防水カバー内が負圧になると、尖端部に付着されている雫４が通気孔１Ｄを経て防水カバー内に吸入されてしまい、これが原因で防水カバー内部への防水性が損なわれてしまうという不具合があった。また上記の通気孔１Ｄ構造では防水カバーの負圧時における防水カバー内への吸気作用により防水カバー外部での塵埃を防水カバー内へ吸込みやすいという不具合もあった。
【０００７】
本発明はかかる不具合に着目してなされたもので、ロアカバーに設けるべき通気孔を形成するための逆円錐筒部の外側尖端部で雫が存在したとしても、この雫を防水カバー内に吸引することがない位置に吸気孔を開口せしめてケース内の防水性を高めると共に、アッパカバーには、上記ロアカバーに設けた吸気孔から吸入される吸気流通の規制となる筒状壁を設けて吸気に含まれる塵埃を、上記の筒状壁で防水カバー内への侵入を抑制することができるようにして、防水性と防塵性に優れた電子部品等の防水カバーの提供を目的とする。
【０００８】
【課題を解決する手段】
上記第１の目的を達成するため、本発明は、上面が開口する樹脂製のロアカバー（１１）と、下面が開口する樹脂製のアッパカバー（１２）との組合せにより構成されるカバー内部空間での内圧変化時に、そのカバーの内外間での通気を許して、カバー内圧と外圧との均衡を保たせる構成とした電子部品等の防水カバーにおいて、上記のロアカバー（１１）には、軸線が垂直であり、かつ上端が開口し、下端が尖端となる逆向きの円錐筒壁（１７）を形成すると共に、その逆向きの円錐筒壁（１７）の上記尖端（１８）部を除く円錐筒壁面位置で、ロアカバーの内外を垂直方向に貫通するアンダーカットのない通気孔（１９）を穿設し、上記のアッパカバー（１２）の内側に、上記ロアカバー（１１）へアッパカバー（１２）を被着したとき、上記逆向きの円錐筒壁（１７）の凹状の上側開口部（１６Ａ）内に遊嵌される上記アッパカバー（１２）から垂直方向下向きに延びる筒状壁（２０）を突設せしめたことを特徴とする電子部品等の防水カバーでることを特徴としている。
【００１０】
【発明の実施の形態】
以下に本発明を図面に示す実施形態に基いて詳細に説明するが、本実施形態の電子部品防水カバーの全体構造は、先行例としての説明で使用した図１の電子部品等の防水カバーの全体構造と略同形であるので、本実施形態の全体構造についての説明を省略し、本願発明の要部構造を図１を基にして説明する。
【００１１】
１１は、不図示の電子部品等を収納するための樹脂製のロアカバー、１２はそのロアカバーに対応する樹脂製のアッパカバーであって、これらロアカバー１１及びアッパカバー１２の外組は、先行例として説明した図２の外形と略変りなく、そのロアカバー１１にあっては上面が開口されており、またアッパカバー１２にあっては下面が開口され、さらに両カバー１１と１２は、アッパカバー１２の裏側に形成されているパッキン嵌入溝１３に嵌入されている防水パッキン１４を介在して水密に被着される構造となっている。
【００１２】
そのロアカバー１１の内部には、背壁面１５に接近して、該ロアカバー１１の内外を貫通する垂直方向の筒部１６が形成されており、さらにこの筒部１６の内部には、上端が開口し、下端が尖端１８となる逆向きの円錐筒壁１７が、ロアカバー１１と一体に形成されている。そして、この逆向き円錐筒壁の上記尖端１８部を除く円錐壁面位置で、ロアカバーの内外を貫通する通気孔１９を穿設している。
【００１３】
次にアッパカバー１２の構造について述べると、このアッパカバー１２の内側には、該アッパカバー１２を上記ロアカバー１１上に防水パッキン１４を介して被着したとき、そのロアカバー１１に形成されている上記筒部１６の上側開口部１６Ａ内に適宜の隙間（Ｃ）を介して遊嵌される円筒形状の筒状壁２０が突設されているものである。
【００１４】
以上説明した構造のロアカバー１１とアッパカバー１２との被着結合構造は、先行例で説明した電子部品防水カバーと同等であるので、ロア、アッパ両カバーの被着結合構造の説明は省略する。
【００１５】
次に上記電子部品等の防水カバーの作用について述べると、上記ロアカバー１１には、逆向き円錐筒壁１７が形成されていると共に、その逆向き円錐筒壁１７の尖端１８部を除く円錐筒壁面位置でそのロアカバー１１の内外を貫通する通気孔１９を形成しているので、仮にその逆向き円錐筒壁１７の外周面又は内周面に付着した水分（水滴）が、その円錐筒壁１７の壁面に沿って降下し、円錐筒壁の尖端１８で、雫４が生じたとしても、この雫４は通気孔１９の開口から離れた位置で生じていることから、例えば電子部品等の防水カバーの内部で負圧が生じて、通気孔１９で吸気が生じたとしても、その吸気により雫４が電子部品防水カバー内に吸い込まれることはなく、このために電子部品防水カバーによる防水性が高められる。
【００１６】
また上記ロアカバー１１とアッパカバー１２とを防水パッキン１４を介して被着したとき、ロアカバー１１に設けられている筒部１６の上側開口部１６Ａ内に、アッパカバー１２の内側に突設されている筒状壁２０が僅かな隙間（Ｃ）を介して遊嵌されることになるので、その筒状壁２０が、上側開口部１６Ａを流通する空気内に含まれる塵埃の流通を規制する邪魔部材となり、これによって、電子部品防水カバー内に塵埃が侵入し難くなり、防塵性にも優れた電子部品等の防水カバーが得られる。
【００１７】
【発明の効果】
以上のように本発明の電子部品防水カバーによれば、例えば電子部品等を収容する樹脂製防水カバー内部の内圧変化に伴なう防水カバー内外間の空気の流通を充分に維持しながら、防水カバー内部に内装されている電子部品等の防水性、防塵性が高められる。
【図面の簡単な説明】
【図１】本発明よりなる電子部品等の防水カバーの実施形態を示した要部断面図。
【図２】電子部品等の防水カバーの全体構造を示した分解斜視図。
【図３】従来の電子部品等の防水カバーを示した要部断面図。
【符号の説明】
１１…ロアカバー              １２…アッパカバー
１３…パッキン嵌入溝          １４…防水パッキン
１５…背壁面                  １６…筒部
１６Ａ…上側開口部            １７…円錐筒壁
１８…尖端                    １９…通気孔
２０…筒状壁
【図１】
0003746893.tif 000002
【図２】
0003746893.tif 000003
【図３】
0003746893.tif 000004